(57)【特許請求の範囲】
【請求項１】
ろ過槽を上下に区切りろ材層を支持する集水板に複数設置されている集水ストレーナにおいて、
前記集水ストレーナは、周面にスリットが形成され下面に雌螺子部が形成されている本体部と、前記雌螺子部と螺合する雄螺子部が上部に形成されている筒状部とを備え、
前記筒状部は、前記集水板に開孔されている真円でないストレーナ取付孔の横方向断面形状と同一形状で前記ストレーナ取付孔の横方向断面の輪郭より一回り小さい輪郭の大きさで前記雄螺子部より下側に設置されている平板状の固定プレートと、前記固定プレートより上側で周方向に複数の凸部が設置されている共廻り防止リブとを備えていることを特徴とする集水ストレーナ。
【請求項２】
前記ストレーナ取付孔の横方向断面形状が三角形状、四角形状、円形歯車形状、楕円形状の内のいずれかの形状であることを特徴とする請求項１に記載の集水ストレーナ。
【請求項３】
前記ストレーナ取付孔の横方向断面の輪郭より大きい輪郭の大きさで平板状の脱落防止プレートが、前記共廻り防止リブより上側に設置されていることを特徴とする請求項１又は２に記載の集水ストレーナ。
【発明の詳細な説明】
【技術分野】
【０００１】
本発明は、ろ過槽を上下に区切りろ材層を支持する集水板に複数設置されている集水ストレーナに関する。
【背景技術】
【０００２】
原水をろ材層でろ過し処理水を得るろ過装置に備えられているろ過槽には、槽内を上下に区切りろ過材からなるろ材層を支持する集水板に集水ストレーナが複数均等に設置されている。この集水ストレーナは、ろ過工程においては、ろ材層を通過しろ過された処理水を均一に集水板の下部に設けられているろ過水室に集水し、また、一定時間ろ過するとろ材層に濁質が補足されるので所謂逆洗洗浄が行われ、この洗浄工程においては、濁質がろ材層から効果的に排出されるよう洗浄用の水又は空気をろ過水室からろ材層に均等に拡散させる役割を担っている。
【０００３】
従来、この集水ストレーナは、周面にスリットが形成されている本体部と、この本体部の下面から延びる筒状部とから構成されていた。この集水ストレーナを集水板に固定するには、下記特許文献１に示すように、本体部に組み付けられた筒状部を集水板に開孔されているストレーナ取付孔に上方から挿入し、集水板の下方から雌螺子を筒状部に形成されている雄螺子部に螺合させ、本体部と雌螺子で集水板を挟み込むようにして集水ストレーナを固定していた。
【０００４】
しかしながら、この固定方法では、集水板の上方より集水ストレーナの筒状部を集水板に開孔されているストレーナ取付孔に挿入する作業者と、集水板の下方より雌螺子を筒状部の雄螺子部に螺合させる作業者と最低でも二人の作業者が必要になり、作業効率が悪かった。
【０００５】
更に、集水板の下方から雌螺子を螺合させるには、ろ過槽内の集水板の下方で作業者が作業できるスペースを確保する必要があるため、ろ過水室の容積が大きくなるとの不具合があった。
【先行技術文献】
【特許文献】
【０００６】
【特許文献１】特開２００４−１６０４３２号
【発明の概要】
【発明が解決しようとする課題】
【０００７】
本発明は上述の不具合点を解決するためになされたものであって、その目的とするところは、集水ストレーナを集水板に一人作業で固定することができ、よって、ろ過水室の容積を小さくすることができる集水ストレーナを提供することである。
【課題を解決するための手段】
【０００８】
上記目的を達成するため、本発明の請求項１に係る集水ストレーナは、ろ過槽を上下に区切りろ材層を支持する集水板に複数設置されている集水ストレーナにおいて、前記集水ストレーナは、周面にスリットが形成され下面に雌螺子部が形成されている本体部と、前記雌螺子部と螺合する雄螺子部が上部に形成されている筒状部とを備え、前記筒状部は、前記集水板に開孔されている真円でないストレーナ取付孔の横方向断面形状と同一形状で前記ストレーナ取付孔の横方向断面の輪郭より一回り小さい輪郭の大きさで前記雄螺子部より下側に設置されている平板状の固定プレートと、前記固定プレートより上側で周方向に複数の凸部が設置されている共廻り防止リブとを備えていることを特徴とするものである。
【０００９】
また、本発明の請求項２に係る集水ストレーナは、請求項１に記載の集水ストレーナにおいて、前記ストレーナ取付孔の横方向断面形状が三角形状、四角形状、円形歯車形状、楕円形状の内のいずれかの形状であることを特徴とするものである。
【００１０】
また、本発明の請求項３に係る集水ストレーナは、請求項１又は２に記載の集水ストレーナにおいて、前記ストレーナ取付孔の横方向断面の輪郭より大きい輪郭の大きさで平板状の脱落防止プレートが、前記共廻り防止リブより上側に設置されていることを特徴とするものである。
【発明の効果】
【００１１】
上記構成を備えた本発明に係る集水ストレーナは、筒状部に設置されている平板状の固定プレートが、集水板に開孔されている真円でないストレーナ取付孔の横方向断面形状と同一形状でストレーナ取付孔の横方向断面の輪郭より一回り小さい輪郭の大きさなので、固定プレートが外周に設置されている筒状部をストレーナ取付孔に上方より挿入することができる。更に、筒状部の上部に形成されている雄螺子部を本体部の下面に形成されている雌螺子部と螺合させるときに、固定プレートより上側で筒状部の外周面に設置されている周方向に複数の凸部から構成される共廻り防止リブが、真円でないストレーナ取付孔の内周面に引っ掛かるので筒状部の空回りを防止し、本体部の雌螺子部と筒状部の雄螺子部を螺合させることができる。
【００１２】
更に本発明に係る集水ストレーナは、筒状部と本体部とを螺合させるときに、共廻り防止リブにより筒状部が空回りによる回転を停止するまで固定プレートも同じ位相だけ回転するので、ストレーナ取付孔の形状と固定プレート形状の位相がずれる。固定プレートの大きさは、ストレーナ取付孔の横方向断面の輪郭より一回り小さい輪郭の大きさなので、本体部の雌螺子部と筒状部の雄螺子部を螺合させるとき固定プレートの上面と集水板の下面とが当接し、集水板を本体部と固定プレートで挟み込むようにして集水ストレーナを集水板に固定することができる。よって、集水ストレーナを集水板の上方から作業者一人で集水板に取り付けることができ、作業の効率化を図ることができると共に、集水板より下部のろ過水室の容積を小さくできるので、ろ過槽の容積を小さくすることができる。
【００１３】
更に本発明の集水ストレーナは、集水板に開孔されているストレーナ取付孔の横方向断面形状が三角形状、四角形状、円形歯車形状、楕円形状の内のいずれかの形状であるので、固定プレートも三角形状、四角形状、円形歯車形状、楕円形状の内のいずれかの形状となり、位相がずれたとき、固定プレートが集水板と当接する面積が広くなり、集水ストレーナを集水板に確実に固定することができる。
【００１４】
更に本発明の集水ストレーナは、前記ストレーナ取付孔の横方向断面の輪郭より大きい輪郭の大きさで平板状の脱落防止プレートが共廻り防止リブより上側に設置されているので、集水板の上方より筒状部をストレーナ取付孔に挿入するとき、脱落防止プレートの下面が集水板の上面と当接し、筒状部が集水板の下方に落下するのを防止することができる。
【図面の簡単な説明】
【００１５】
【図１】本発明に係る集水ストレーナが装着されているろ過装置の概略縦断面説明図である。
【図２】本発明に係る集水ストレーナを分解した状態の縦断面説明図で、（Ａ）本体部のノズルドーム、（Ｂ）本体部のアダプタープレート、（Ｃ）筒状部、を示す。
【図３】図２の集水ストレーナを集水板に固定した状態を示す縦断面説明図である。
【図４】図３におけるＡ−Ａで切断した矢視説明図で、（Ａ）筒状部をストレーナ取付孔に挿入した状態、（Ｂ）ストレーナ取付孔の形状と固定プレート形状の位相がずれた状態、を示す。
【発明を実施するための形態】
【００１６】
以下に図面を参照して、この発明の実施形態に係る集水ストレーナについて、例示して説明する。ただし、この発明の範囲は、この実施の形態に記載されている内容に限定する趣旨のものではない。
【００１７】
図１は、本発明に係る集水ストレーナが装着されているろ過装置の概略縦断面説明図であり、図２は、本発明に係る集水ストレーナを分解した状態の縦断面説明図で、（Ａ）本体部のノズルドーム、（Ｂ）本体部のアダプタープレート、（Ｃ）筒状部、を示し、図３は、図２の集水ストレーナを集水板に固定した状態を示す縦断面説明図であり、図４は、図３におけるＡ−Ａで切断した矢視説明図で、（Ａ）筒状部をストレーナ取付孔に挿入した状態、（Ｂ）筒状部のみが回転しストレーナ取付孔の形状と固定プレート形状の位相がずれた状態、を示す。
【００１８】
本発明に係る集水ストレーナ１は、図１に示す通り、ろ過装置２に備えられているろ過槽３を上下に区切り、ろ過材４が積層されたろ材層５を支持する集水板８０に開孔されたストレーナ取付孔に複数設置されている。
【００１９】
集水ストレーナ１は、図２に示す通り、本体部１０と筒状部４０を備え、本体部１０は、ノズルドーム２０と、アダプタープレート３０とにより構成されている。アダプタープレート３０のチャンバー側壁３１の内周側に、ノズルドーム２０の外周壁２１が嵌合するようになっている。尚、本体部１０は、ノズルドーム２０とアダプタープレート３０とが一体成形されていても良い。
【００２０】
ノズルドーム２０の周面２２には、図示されていないスリットが頭部から裾部にかけて複数形成されている。スリットの幅は、ろ材層５を形成しているろ過材４の粒径より小さく設定されているので、ろ過材４が処理水と共にノズルドーム２０内に入るのを防止している。
【００２１】
アダプタープレート３０の下面３２には、チャンバー側壁３１と一体成型されたチャンバー隔壁３３が設置され、そのチャンバー隔壁３３の中央には雌螺子部３４が形成されている。
【００２２】
筒状部４０の上部４１の外周側には雄螺子部４２が形成されていて、上述の本体部１０の下面３２のチャンバー隔壁３３に形成さている雌螺子部３４と螺合するようになっている。
【００２３】
筒状部４０の雄螺子部４２より下側で後述する共廻り防止リブ５０より上側に、平板状の脱落防止プレート４３が筒状部４０の外周側に設置されている。脱落防止プレート４３は、筒状部４０を後述する集水板８０に形成されている真円でないストレーナ取付孔８１に挿入するときに、筒状部４０が集水板８０の下方に落下するのを防止する役目を果たすものであり、それ故に脱落防止プレート４３の輪郭の大きさは、ストレーナ取付孔８１の横方向断面の輪郭の大きさより大きく成形されている。
【００２４】
脱落防止プレート４３の下側で後述する固定プレート６０より上側には、周方向に複数の凸部５１が外周面４４に凸設されている共廻り防止リブ５０が設置されている。凸部５１は、周方向に一定の幅を有し、筒状部４０の長さ方向に沿って延びるように細長く成形されていて、その長さは、集水板８０の厚さと同等であるのが好適である。凸部５１が筒状部４０の外周面４４から突出している高さは、共廻り防止リブ５０が筒状部４０に設置されている箇所をストレーナ取付孔８１に上方から挿入することができ、且つ筒状部４０が回転したときに凸部５１が真円でないストレーナ取付孔８１の内周面に引っ掛かることができるように、ストレーナ取付孔８１の横方向断面形状及びストレーナ取付孔８１の横方向断面の輪郭の大きさ等を考量して決められる。
【００２５】
固定プレート６０は、平板状であって筒状部４０の雄螺子部４２より下側で、且つ共廻り防止リブ５０より下側の外周側に設置されている。固定プレート６０は、真円でないストレーナ取付孔８１の横方向断面形状と輪郭が同一で、ストレーナ取付孔８１の横方向断面の輪郭より一回り小さい輪郭の大きさなので、筒状部４０の外周側に固定プレート６０が設置されている箇所をストレーナ取付孔８１に上から挿入することができるようになっている。
尚、固定プレート６０が、ストレーナ取付孔８１の横方向断面形状と同一形状でストレーナ取付孔８１の横方向断面の輪郭より一回り小さい輪郭の大きさとは、固定プレート６０形状とストレーナ取付孔８１の形状との位相が同じときに、固定プレート６０をストレーナ取付孔８１に上から挿入することができ、位相が僅かにずれたときに、固定プレート６０をストレーナ取付孔８１に上から挿入することができない大きさをいう。
【００２６】
集水板８０には、ストレーナ取付孔８１が開孔されている。その形状は真円でない形状であればどのような形状であっても良く、三角形状、四角形状、円形歯車形状、楕円形状が好適である。
【００２７】
次に、集水ストレーナ１を集水板８０に固定する方法について、説明する。
【００２８】
初めに、ノズルドーム２０の外周壁２１をアダプタープレート３０のチャンバー側壁３１の内周側に嵌合させ、本体部１０を合体させる。
【００２９】
次に、図３に示す通り、筒状部４０を集水板８０のストレーナ取付孔８１に上方から挿入する。この場合、例えば、真円でないストレーナ取付孔８１の形状が正方形であれば、筒状部４０に設置されている固定プレート６０の輪郭も正方形で、しかもストレーナ取付孔８１の横方向断面の輪郭より一回り小さい輪郭の大きさなので、図４（Ａ）に示すように位相を合わせることで固定プレート６０が設置されている部分がストレーナ取付孔８１を通過し、集水板８０の下方にくるようにすることができる。このときに、固定プレート６０の上側には、脱落防止プレート４３が設置されているので、誤って作業者の手が滑って筒状部４０を離しても、脱落防止プレート４３が集水板８０と当接するので、集水板８０の下方に筒状部４０が落下することを防止できる。しかも、挿入時に脱落防止プレート４３が集水板８０の上面に当接することで、共廻り防止リブ５０をストレーナ取付孔８１内に止めておくことができ、更に雄螺子部４２を集水板８０の上方に止めておくことができるようになっている。
【００３０】
次いで、本体部１０の下面３２に形成されている雌螺子部３４を、筒状部４０の上端部４１に形成されている雄螺子部４２と螺合させる。このときに、本体部１０を回転させると筒状部４０も初めは空回りしてある角度まで回転するが、図４（Ｂ）に示すように共廻り防止リブ５０の凸部５１がストレーナ取付孔８１の内周面に引っ掛かるので、筒状部４０の回転は止まり、本体部１０と筒状部４０をしっかりと確実に螺合することができる。しかも、空回りが止まった後の螺合段階初期では、筒状部４０が上方に引き上げらる力を受けるが、筒状部４０の空回り段階で、固定プレート６０の形状の位相がストレーナ取付孔８１の形状の位相とずれているので、固定プレート６０の上面６１が集水板８０の下面８２と当接し、それ以降は、本体部１０が下方に引き下げられる力を受けるようになる。従って、本体部１０のチャンバー側壁３１の下端３５が集水板８０の上面８３と当接し、本体部１０と筒状部４０に設置されている固定プレート６０で集水板８０を挟み込むようにして、集水ストレーナ１を集水板８０に固定することが可能となる。
【００３１】
従って、集水ストレーナ１を集水板８０に一人作業で固定することが可能となり、作業の効率化を図ることが可能となると共に、ろ過槽３において集水板８０の下側のろ過水室６での作業が不要となるので、集水板８０より下側のろ過水室６の容積を小さくし、ろ過槽３の容積を小さくすることが可能となる。
【００３２】
尚、ストレーナ取付孔８１の形状は、正方形以外に、長方形等の四角形、三角形状、円形歯車形状、楕円形状が好適であるが、真円でなければそれ以外の形状である五角形、六角形等の多角形、星形形状等であっても良いことは言うまでもない。
【００３３】
更に、脱落防止プレート４３が設置されている場合について説明したが、脱落防止プレート４３が設置されていない場合でもよい。設置されていない場合は、筒状部４０単体でストレーナ取付孔８１に挿入するのではなく、筒状部４０の雄螺子部４２の一部を本体部１０の雌螺子部３４に仮に螺合させて、筒状部４０をストレーナ取付孔８１に挿入することで、筒状部４０が集水板８０の下方のろ過水室６に落下するのを防止することができる。
【符号の説明】
【００３４】
１          集水ストレーナ
２          ろ過装置
３          ろ過槽
４          ろ過材
５          ろ材層
６          ろ過水室
１０        本体部
２０        ノズルドーム
２１        外周壁
２２        周面
３０        アダプタープレート
３１        チャンバー側壁
３２        下面
３３        チャンバー隔壁
３４        雌螺子部
３５        下端
４０        筒状部
４１        上部
４２        雄螺子部
４３        脱落防止プレート
４４        外周面
５０        共廻り防止リブ
５１        凸部
６０        固定プレート
６１        上面
８０        集水板
８１        ストレーナ取付孔
８２        下面
８３        上面
【図１】
0006527437.tif 000002
【図２】
0006527437.tif 000003
【図３】
0006527437.tif 000004
【図４】
0006527437.tif 000005